【手続補正書】
【提出日】平成19年10月2日(2007.10.2)
【手続補正１】
【補正対象書類名】明細書
【補正対象項目名】発明の名称
【補正方法】変更
【補正の内容】
【発明の名称】通話装置、再生装置、遠隔制御システム、遠隔制御方法、及び音声出力制御方法
【手続補正２】
【補正対象書類名】明細書
【補正対象項目名】特許請求の範囲
【補正方法】変更
【補正の内容】
【特許請求の範囲】
【請求項１】
外部機器と無線通信を行う無線通信手段と、
通話着信時に上記外部機器を遠隔操作する遠隔制御信号を上記無線通信手段を介して送出させる制御手段と
を備えることを特徴とする通話装置。
【請求項２】
上記無線通信はＢｌｕｅｔｏｏｔｈ方式の通信である
ことを特徴とする請求項１記載の通話装置。
【請求項３】
上記遠隔制御信号は上記外部機器の音声出力を停止させる制御を行う信号である
ことを特徴とする請求項１記載の通話装置。
【請求項４】
上記音声出力を停止させる制御は、音消し機能である
ことを特徴とする請求項３記載の通話装置。
【請求項５】
上記音声出力を停止させる制御は、再生一時停止機能である
ことを特徴とする請求項３記載の通話装置。
【請求項６】
上記制御手段は、通話終了時に上記外部機器の再生を再開させる再生再開信号を上記無線通信手段を介して送出させることをさらに行う
ことを特徴とする請求項５記載の通話装置。
【請求項７】
上記制御手段は、通話終了時に上記外部機器の音声出力を再開させる音声出力再開信号を上記無線通信手段を介して送出させる
ことを特徴とする請求項１記載の通話装置。
【請求項８】
上記制御手段は、通話着信時に上記外部機器に着信通知音を送出する
ことを特徴とする請求項１記載の通話装置。
【請求項９】
予め上記外部機器と接続処理を行う接続手段をさらに備える
ことを特徴とする請求項１記載の通話装置。
【請求項１０】
通話着信時に上記外部機器と接続処理を行う接続手段をさらに備える
ことを特徴とする請求項１記載の通話装置。
【請求項１１】 上記制御手段は、通話終了時に上記外部機器との接続を開放させる
ことを特徴とする請求項１記載の通話装置。
【請求項１２】
上記制御手段は、通話着信時に複数の上記外部機器を遠隔操作する遠隔制御信号を上記無線通信手段を介して送出させる
ことを特徴とする請求項１記載の通話装置。
【請求項１３】
上記遠隔制御信号を予め上記外部機器より取得する制御信号取得手段をさらに有する
ことを特徴とする請求項１記載の通話装置。
【請求項１４】
通話装置の通話着信時に無線で送出される遠隔制御信号を受信する無線通信手段と、
上記遠隔制御信号を受信した際に再生している音声の音声出力を停止させる制御を行う制御手段と
を備えることを特徴とする再生装置。
【請求項１５】
上記無線通信手段はＢｌｕｅｔｏｏｔｈ方式の通信である
ことを特徴とする請求項１４記載の再生装置。
【請求項１６】
上記音声出力を停止させる制御は、音消し機能である
ことを特徴とする請求項１４記載の再生装置。
【請求項１７】
上記音声出力を停止させる制御は、再生一時停止機能である
ことを特徴とする請求項１４記載の再生装置。
【請求項１８】
上記無線通信手段は、上記通話装置における通話終了時に無線で送出される再生再開信号をさらに受信し、
上記制御手段は、上記再生再開信号を受信した際に、再生を再開させることをさらに行う
ことを特徴とする請求項１７記載の再生装置。
【請求項１９】
上記無線通信手段は、上記通話装置における通話終了時に無線で送出される音声出力再開信号をさらに受信し、
上記制御手段は、上記音声出力再開信号を受信した際に、音声出力を再開させることをさらに行う
ことを特徴とする請求項１４記載の再生装置。
【請求項２０】
上記無線通信手段は、上記通話装置の通話着信時に無線で送出される着信通知音をさらに受信し、
上記制御手段は、受信した上記着信通知音を出力させる
ことを特徴とする請求項１４記載の再生装置。
【請求項２１】
通話装置と再生装置とから構成される遠隔制御システムであって、
上記通話装置は、
上記再生装置と無線通信を行う無線通信手段と、
通話着信時に上記再生装置を遠隔操作する遠隔制御信号を上記無線通信手段を介して送出させる第１の制御手段と
を備え、
上記再生装置は、
上記通話装置の通話着信時に無線で送出される上記遠隔制御信号を受信する無線通信手段と、
上記遠隔制御信号を受信した際に再生している音声の音声出力を停止させる制御を行う第２の制御手段と
を備えることを特徴とする遠隔制御システム。
【請求項２２】
通話装置により外部機器を遠隔制御する遠隔制御方法であって、
上記通話装置による通話の着信を検出する検出ステップと、
通話着信時に、上記外部機器を遠隔操作する遠隔制御信号を上記通話装置に備えられた無線通信手段から送出させる制御ステップと
を有することを特徴とする遠隔制御方法。
【請求項２３】
音声を再生して出力する再生装置の音声出力制御方法であって、
通話装置の通話着信時に無線で送出される遠隔制御信号を無線通信手段により受信する受信ステップと、
上記遠隔制御信号を受信した際に再生している音声の音声出力を停止させる制御を行う制御ステップと
を有することを特徴とする再生装置の音声出力制御方法。
【請求項２４】
通話装置と再生装置とから構成される遠隔制御システムにおける音声出力制御方法であって、
上記通話装置から、上記再生装置と無線通信を行う無線通信手段を介して、通話着信時に上記再生装置を遠隔操作する遠隔制御信号を送出させる第１の制御ステップと、
上記再生装置側で、上記通話装置の通話着信時に無線で送出される上記遠隔制御信号を無線通信手段が受信した際に、再生している音声の音声出力を停止させる制御を行う第２の制御ステップと
を有することを特徴とする音声出力制御方法。
【手続補正３】
【補正対象書類名】明細書
【補正対象項目名】０００１
【補正方法】変更
【補正の内容】
【０００１】
【発明の属する技術分野】
本発明は、着信時にオーディオ機器等の家電機器を遠隔制御により制御する通話装置、再生装置、遠隔制御システム、遠隔制御方法、及び音声出力制御方法に関する。
【手続補正４】
【補正対象書類名】明細書
【補正対象項目名】０００６
【補正方法】変更
【補正の内容】
【０００６】
【課題を解決するための手段】
本発明に係る通話装置は、外部機器と無線通信を行う無線通信手段と、通話着信時に上記外部機器を遠隔操作する遠隔制御信号を上記無線通信手段を介して送出させる制御手段とを備えることを特徴とする。
また、本発明に係る再生装置は、通話装置の通話着信時に無線で送出される遠隔制御信号を受信する無線通信手段と、上記遠隔制御信号を受信した際に再生している音声の音声出力を停止させる制御を行う制御手段とを備えることを特徴とする。
【手続補正５】
【補正対象書類名】明細書
【補正対象項目名】０００７
【補正方法】変更
【補正の内容】
【０００７】
また、本発明は、通話装置と再生装置とから構成される遠隔制御システムであって、上記通話装置は、上記再生装置と無線通信を行う無線通信手段と、通話着信時に上記再生装置を遠隔操作する遠隔制御信号を上記無線通信手段を介して送出させる第１の制御手段とを備え、上記再生装置は、上記通話装置の通話着信時に無線で送出される上記遠隔制御信号を受信する無線通信手段と、上記遠隔制御信号を受信した際に再生している音声の音声出力を停止させる制御を行う第２の制御手段とを備えることを特徴とする。
【手続補正６】
【補正対象書類名】明細書
【補正対象項目名】０００８
【補正方法】変更
【補正の内容】
【０００８】
また、本発明は、通話装置により外部機器を遠隔制御する遠隔制御方法であって、上記通話装置による通話の着信を検出する検出ステップと、通話着信時に、上記外部機器を遠隔操作する遠隔制御信号を上記通話装置に備えられた無線通信手段から送出させる制御ステップとを有することを特徴とする。
【手続補正７】
【補正対象書類名】明細書
【補正対象項目名】０００９
【補正方法】変更
【補正の内容】
【０００９】
また、本発明は、音声を再生して出力する再生装置の音声出力制御方法であって、通話装置の通話着信時に無線で送出される遠隔制御信号を無線通信手段により受信する受信ステップと、上記遠隔制御信号を受信した際に再生している音声の音声出力を停止させる制御を行う制御ステップとを有することを特徴とする。
【手続補正８】
【補正対象書類名】明細書
【補正対象項目名】００１０
【補正方法】変更
【補正の内容】
【００１０】
さらに、本発明は、通話装置と再生装置とから構成される遠隔制御システムにおける音声出力制御方法であって、上記通話装置から、上記再生装置と無線通信を行う無線通信手段を介して、通話着信時に上記再生装置を遠隔操作する遠隔制御信号を送出させる第１の制御ステップと、上記再生装置側で、上記通話装置の通話着信時に無線で送出される上記遠隔制御信号を無線通信手段が受信した際に、再生している音声の音声出力を停止させる制御を行う第２の制御ステップとを有することを特徴とする。
【手続補正９】
【補正対象書類名】明細書
【補正対象項目名】０１４３
【補正方法】変更
【補正の内容】
【０１４３】
【発明の効果】
本発明では、無線通信による遠隔制御可能なオーディオ機器等の家電機器に対して、通話着信時に通話装置から遠隔制御信号を送って、家電機器の出力停止制御を行うので、通話の着信をユーザにわかりやすくすることができる。
【手続補正１０】
【補正対象書類名】図面
【補正対象項目名】図３
【補正方法】変更
【補正の内容】
【図３】
2001203788.tif 000001
【手続補正１１】
【補正対象書類名】図面
【補正対象項目名】図１１
【補正方法】変更
【補正の内容】
【図１１】
2001203788.tif 000002